(57)【要約】【課題】扉体に係合体を取付ける際に、扉体に対する係合体の取付け位置を簡単な作業で設定適正位置に的確に定めることができる食器洗浄機の係合体用取付冶具を提供する。【解決手段】矩形板状の扉体３の後面に取付けた係合体が、洗浄槽の前部に設けた係合部に係合された状態で、扉体３が洗浄槽の前部に装着される食器洗浄機において、扉体３に係合体を取付ける際に、扉体３に対する係合体の取付け位置を定める係合体用取付冶具であって、扉体３に対して重ね合わせた状態に装着自在な板状の冶具本体４０に、扉体３の４つの辺の夫々に対応する４つの側端面のうちの、少なくとも隣接する２つの側端面との接当により、扉体３に対する冶具本体４０の扉体３の板面方向での位置を定める位置決め接当部Ｇ、及び、冶具本体４０に対して係合体を位置させる係合体存在箇所を示す位置指示部Ｈが設けられている。【選択図】図２２
2014004241.tif 000002
【特許請求の範囲】
【請求項１】
上部が開口された洗浄槽が、本体ケーシングの前部に形成された洗浄槽挿脱用開口を通して前記本体ケーシングに対して挿脱されることにより、前記本体ケーシングの内部の洗浄運転用の収納位置に収納された収納状態と前記本体ケーシングの前方に引き出された引出し状態とに切換え自在に構成され、前記洗浄槽の前記収納状態において前記洗浄槽挿脱用開口を閉じる矩形板状の扉体の後面に取付けた係合体が、前記洗浄槽の前部に設けた係合部に係合された状態で、前記扉体が前記洗浄槽の前部に装着される食器洗浄機において、前記扉体に前記係合体を取付ける際に、前記扉体に対する前記係合体の取付け位置を定める食器洗浄機の係合体用取付冶具であって、
前記扉体に対して重ね合わせた状態に装着自在な板状の冶具本体に、前記扉体の４つの辺の夫々に対応する４つの側端面のうちの、少なくとも隣接する２つの側端面との接当により、前記扉体に対する前記冶具本体の前記扉体の板面方向での位置を定める位置決め接当部、及び、前記冶具本体に対して前記係合体を位置させる係合体存在箇所を示す位置指示部が設けられ、
前記位置指示部が示す前記係合体存在箇所が、前記冶具本体が前記位置決め接当部によって前記扉体に対して位置決めされた位置決め状態において、前記扉体に対して前記係合体を取付ける設定適正位置に対応する箇所であるように構成されている食器洗浄機の係合体用取付冶具。
【請求項２】
前記位置決め接当部が、前記扉体における複数の前記側端面の夫々に各別に当て付ける複数の当て付け部を備える状態に構成され、
前記当て付け部の夫々が、前記冶具本体に対する折曲げ予定線に対して前記冶具本体の外方側に向けて突出する状態で位置しかつ前記折曲げ予定線に沿って前記扉体の存在予定側とは反対側に向けて折り曲げる操作片部と、その操作片部から前記冶具本体の内方側に向けて突出する状態で前記操作片部に連なる扉体当て付け用舌片とを備える形態に構成され、
前記扉体当て付け用舌片が、前記操作片部を前記扉体の存在予定側とは反対側に向けて折り曲げたときに、前記扉体の存在予定側に向けて起立するように構成されている請求項１記載の食器洗浄機の係合体用取付冶具。
【請求項３】
前記冶具本体が折曲げ可能な材料にて構成され、
前記当て付け部の前記操作片部及び前記扉体当て付け用舌片が、前記冶具本体の一部を起立させる形態で構成されている請求項２記載の食器洗浄機の係合体用取付冶具。
【請求項４】
前記位置決め接当部が、複数の前記当て付け部として、前記扉体の４つの側端面のうちの、左右の側端面の夫々に当て付ける左右一対の左右位置規制用当て付け部、及び、前記扉体の４つの側端面のうちの、上下の側端面のいずれかに当て付ける上下位置規制用当て付け部を備えるように構成されている請求項３記載の食器洗浄機の係合体用取付冶具。
【請求項５】
前記扉体が、前記洗浄槽の前部の上下幅方向の全体及び横幅方向の全体を覆うように構成され、
前記上下位置規制用当て付け部として、前記位置指示部の前記扉体に対する位置を扉体上下幅方向で異なる位置に変更する複数の上下位置規制用当て付け部が設けられている請求項４記載の食器洗浄機の係合体用取付冶具。
【請求項６】
前記位置指示部が、前記冶具本体に形成された切欠部として構成されている請求項１〜５のいずれか１項に記載の食器洗浄機の係合体用取付冶具。
【請求項７】
前記係合体が、前記冶具本体に予め取付けられている請求項６記載の食器洗浄機の係合体用取付冶具。
【請求項８】
前記冶具本体における前記扉体に対向する面に、前記冶具本体を前記扉体に位置決めする両面テープが設けられ、
前記冶具本体に、前記扉体の存在予定側に突出して前記扉体の後面と接当自在な複数の支持部が、退避状態に切換え操作自在に設けられている請求項１〜７のいずれか１項に記載の食器洗浄機の係合体用取付冶具。
【発明の詳細な説明】
【技術分野】
【０００１】
本発明は、上部が開口された洗浄槽が、本体ケーシングの前部に形成された洗浄槽挿脱用開口を通して前記本体ケーシングに対して挿脱されることにより、前記本体ケーシングの内部の洗浄運転用の収納位置に収納された収納状態と前記本体ケーシングの前方に引き出された引出し状態とに切換え自在に構成され、前記洗浄槽の前記収納状態において前記洗浄槽挿脱用開口を閉じる矩形板状の扉体の後面に取付けた係合体が、前記洗浄槽の前部に設けた係合部に係合された状態で、前記扉体が前記洗浄槽の前部に装着される食器洗浄機において、前記扉体に前記係合体を取付ける際に、前記扉体に対する前記係合体の取付け位置を定める食器洗浄機の係合体用取付冶具に関する。
【背景技術】
【０００２】
上部が開口された洗浄槽が本体ケーシングに対して挿脱される、いわゆる引出し式の食器洗浄機は、通常、システムキッチンのキッチンカウンタの下方に、引出し式の収納部等の複数の収納部や固定パネル等の設置体と並ぶ状態で設置されて、皿や茶碗等の食器類を洗浄するのに使用されることになる。
つまり、洗浄槽を本体ケーシングから引き出した引出し状態にして、皿や茶碗等の食器類を洗浄槽の内部に収容し、その後、洗浄槽を本体ケーシングの内部の収納位置に収納した収納状態にして、洗浄運転を行い、洗浄運転が終了した後においては、洗浄槽を本体ケーシングから引き出した引出し状態にして、皿や茶碗等の食器類を洗浄槽から取出すことになる。
【０００３】
このような食器洗浄機の従来例として、洗浄槽の収納状態において洗浄槽挿脱用開口を閉じる矩形板状の扉体の後面に取付けた係合体が、洗浄槽の前部に設けた係合部に係合された状態で、扉体が前記洗浄槽の前部に装着されたものがある（例えば、特許文献１及び特許文献２参照。）。
【０００４】
ちなみに、特許文献１及び特許文献２においては、洗浄槽の前部の上方側部分に、引出し操作用の把手部及び操作パネルが設けられ、洗浄槽の前部における操作パネルの下方側部分に、扉体が装着されており、洗浄槽の収納状態において、操作パネルと扉体とによって、洗浄槽挿脱用開口を閉じるように構成されている。
【０００５】
そして、扉体の表面が、キッチンカウンタの下方に配置される複数の収納部や固定パネル等の設置体の表面と、同一の色調で、同一の図柄となるように構成されて、システムキッチン全体の外観を美麗な状態にするようになっている。
【先行技術文献】
【特許文献】
【０００６】
【特許文献１】特開２００５−２５３８２４号公報
【特許文献２】特開２０１２−１６３７１号公報
【発明の概要】
【発明が解決しようとする課題】
【０００７】
扉体の表面を、システムキッチンのキッチンカウンタの下方に配置される複数の収納部や固定パネル等の設置体の表面と、同一の色調で、同一の図柄となるように構成する場合においては、食器洗浄機を設置する施工現場において、洗浄槽に対して扉体を装着することになる。
【０００８】
すなわち、食器洗浄機の製造会社にて製造された食器洗浄機が、扉体を装着しない状態で食器洗浄機を設置する施工現場に搬送され、システムキッチンの製造会社等によって製作された扉体が、別途、食器洗浄機を設置する施工現場に搬送されることになり、施工現場において、洗浄槽に対して扉体を装着することになる。
【０００９】
つまり、システムキッチンの購入者が、キッチンカウンタの下方に配置される複数の収納部や固定パネル等の設置体の表面の色調や図柄を選ぶと、システムキッチンの製造会社等によって、設置体の表面の色調や図柄と同一となる表面を備える扉体が施工現場に用意されることになり、施工者が、施工現場において、洗浄槽に対して扉体を装着することになる。
【００１０】
洗浄槽に対して扉体を装着するには、食器洗浄機の製造会社にて製造された係合体が、食器洗浄機とともに、食器洗浄機を設置する施工現場に搬送されているから、先ず、扉体の後面に、係合体を取付け、次に、係合体を洗浄槽の前部に設けた係合部に係合させることによって、洗浄槽に対して扉体を装着することになるが、扉体の後面に係合体を取付ける際には、係合体を扉体の設定適正位置に的確に取り付ける必要がある。
【００１１】
つまり、扉体の後面に取付けた係合体が、扉体の設定適正位置に的確に取付けられていないと、洗浄槽に装着した扉体の位置が、洗浄槽に対する適正位置から上下や左右にずれる不都合や、洗浄槽に装着した扉体の姿勢が、洗浄槽に対する適正姿勢から左右や前後に傾く不都合が生じることになる。
【００１２】
そして、このような不都合が発生すると、例えば、キッチンカウンタの下方に設置される複数の収納部や固定パネル等の設置体のうちの、扉体に隣接する設置体と扉体との間隔が、狭すぎる状態や広すぎる状態となる不適正状態や、扉体の姿勢が扉体に隣接する設置体に対して左右や前後に傾くことになる不適正状態が発生する等、キッチンカウンタの下方に設置される設置体と、扉体との相対関係が、適正な関係とならないものとなって、システムキッチン全体の外観を十分に美麗な状態にすることができないものとなる。
【００１３】
したがって、扉体の後面に取付けた係合体が、扉体に対する設定適正位置に取付けられていないと、システムキッチン全体の外観を十分に美麗な状態にすることができないものとなるから、扉体に係合体を取付ける際には、扉体に対する係合体の取付け位置を設定適正位置に的確に定める必要がある。
【００１４】
尚、キッチンカウンタの下方に設置される設置体と、扉体との相対関係が、適正な関係とならない場合に、設置体と扉体との相対関係を適正な関係に修正すべく、係合体と係合部との係合状態を調節する機能を備えさせることが、従来から行われているが、係合体と係合部との係合状態は大きく調節することはできないものであるから、このように係合体と係合部との係合状態を調節する機能が備えられていても、扉体に係合体を取付ける際には、極力、扉体に対する係合体の取付け位置を設定適正位置に的確に定める必要がある。
【００１５】
このように、扉体に係合体を取付ける際には、扉体に対する係合体の取付け位置を設定適正位置に的確に定める必要があるが、従来では、食器洗浄機の製造会社にて提供される取付け説明書に記載された取付け位置を参照して、物差し等の計測具を用いて、例えば、扉体の外周縁からの距離を計測しながら、扉体に対する係合体の取付け位置を定める等、計測具を用いて扉体に対する係合体の取付け位置を定める作業が行われている。
しかしながら、このような作業は煩雑で手間が掛かる作業であるばかりでなく、ミスを起こし易い作業であるため、改善が望まれるものであった。
【００１６】
本発明は、上記実情に鑑みて為されたものであって、その目的は、扉体に係合体を取付ける際に、扉体に対する係合体の取付け位置を簡単な作業で設定適正位置に的確に定めることができる食器洗浄機の係合体用取付冶具を提供する点にある。
【課題を解決するための手段】
【００１７】
本発明の食器洗浄機の係合体用取付冶具は、上部が開口された洗浄槽が、本体ケーシングの前部に形成された洗浄槽挿脱用開口を通して前記本体ケーシングに対して挿脱されることにより、前記本体ケーシングの内部の洗浄運転用の収納位置に収納された収納状態と前記本体ケーシングの前方に引き出された引出し状態とに切換え自在に構成され、前記洗浄槽の前記収納状態において前記洗浄槽挿脱用開口を閉じる矩形板状の扉体の後面に取付けた係合体が、前記洗浄槽の前部に設けた係合部に係合された状態で、前記扉体が前記洗浄槽の前部に装着される食器洗浄機において、前記扉体に前記係合体を取付ける際に、前記扉体に対する前記係合体の取付け位置を定めるものであって、その第１特徴構成は、
前記扉体に対して重ね合わせた状態に装着自在な板状の冶具本体に、前記扉体の４つの辺の夫々に対応する４つの側端面のうちの、少なくとも隣接する２つの側端面との接当により、前記扉体に対する前記冶具本体の前記扉体の板面方向での位置を定める位置決め接当部、及び、前記冶具本体に対して前記係合体を位置させる係合体存在箇所を示す位置指示部が設けられ、
前記位置指示部が示す前記係合体存在箇所が、前記冶具本体が前記位置決め接当部によって前記扉体に対して位置決めされた位置決め状態において、前記扉体に対して前記係合体を取付ける設定適正位置に対応する箇所であるように構成されている点を特徴とする。
【００１８】
すなわち、冶具本体の位置決め接当部を、扉体の４つの辺の夫々に対応する４つの側端面のうちの、接当させるべき側端面に当て付けるようにしながら、冶具本体を、扉体に対して重ね合わせた状態に装着すると、冶具本体が、扉体に対して位置決めされた位置決め状態で、扉体に対して重ね合わせた状態に装着されることになる。
【００１９】
そして、冶具本体の位置指示部にて示される係合体存在箇所が、冶具本体が位置決め接当部によって扉体に対して位置決めされた位置決め状態において、扉体に対して係合体を取付ける設定適正位置に対応する箇所であるから、冶具本体が位置決め接当部によって扉体に対して位置決めされた位置決め状態において、位置指示部にて示される係合体存在箇所に、係合体を位置させることにより、係合体を扉体に対する設定適正位置に位置させることができるものとなる。
【００２０】
したがって、冶具本体を、位置決め接当部によって扉体に対して位置決めした位置決め状態で、扉体に対して重ね合わせた状態に装着したときに、位置指示部にて示される係合体存在箇所に位置させた係合体を、扉体に取付けることによって、係合体を扉体の設定適正位置に取付けることができることになる。
【００２１】
ちなみに、冶具本体の位置指示部にて示される係合体存在箇所に係合体を位置させる作業は、例えば、食器洗浄機をシステムキッチンに装着する施工現場において、冶具本体が、位置決め接当部によって扉体に対して位置決めされた位置決め状態で、扉体に対して重ね合わせた状態に装着されたときに、冶具本体の位置指示部にて示される係合体存在箇所に係合体を位置させるようにする等、食器洗浄機をシステムキッチンに装着する施工現場にて、施工者が行ってもよいが、食器洗浄機の製造会社が、予め、係合体を冶具本体に取付けるようにしておいてもよい。
【００２２】
つまり、本発明の係合体用取付冶具は、食器洗浄機の製造会社にて作成されて、食器洗浄機と共に梱包された状態で、食器洗浄機をシステムキッチンに装着する施工現場に搬送されるものであるから、食器洗浄機の製造会社にて、予め、係合体を冶具本体に取付けておき、係合体が取付けられた冶具本体を、食器洗浄機と共に、食器洗浄機をシステムキッチンに装着する施工現場に搬送してもよい。
【００２３】
以上の通り、本第１特徴構成によれば、位置決め接当部を、扉体の４つの辺の夫々に対応する４つの側端面のうちの、接当させるべき側端面に当て付けるようにしながら、冶具本体を、扉体に対して重ね合わせた状態に装着するという簡単な作業を行いながら、係合体を扉体に対する設定適正位置に位置させることができるのである。
【００２４】
要するに、本発明の第１特徴構成によれば、扉体に係合体を取付ける際に、扉体に対する係合体の取付け位置を簡単な作業で設定適正位置に的確に定めることができる食器洗浄機の係合体用取付冶具を提供できる。
【００２５】
本発明の第２特徴構成は、上記第１特徴構成に加えて、
前記位置決め接当部が、前記扉体における複数の前記側端面の夫々に各別に当て付ける複数の当て付け部を備える状態に構成され、
前記当て付け部の夫々が、前記冶具本体に対する折曲げ予定線に対して前記冶具本体の外方側に向けて突出する状態で位置しかつ前記折曲げ予定線に沿って前記扉体の存在予定側とは反対側に向けて折り曲げる操作片部と、その操作片部から前記冶具本体の内方側に向けて突出する状態で前記操作片部に連なる扉体当て付け用舌片とを備える形態に構成され、
前記扉体当て付け用舌片が、前記操作片部を前記扉体の存在予定側とは反対側に向けて折り曲げたときに、前記扉体の存在予定側に向けて起立するように構成されている点を特徴とする。
【００２６】
すなわち、位置決め接当部が、複数の当て付け部の夫々を扉体の複数の側端面に各別に当て付けることによって、扉体に対して冶具本体を位置決めすることになる。
そして、位置決め接当部が備える複数の当て付け部の夫々が、操作片部を扉体の存在予定側とは反対側に向けて折り曲げることにより、扉体当て付け用舌片を扉体の存在予定側に向けて起立させる形態に構成されるものであるから、冶具本体を扉体に重ね合わせた状態に装着する際に、操作片部を扉体の存在予定側とは反対側に向けて折り曲げて、扉体当て付け用舌片を扉体の存在予定側に向けて起立させることになる。
【００２７】
このように、位置決め接当部が備える複数の当て付け部の夫々は、冶具本体を扉体に重ね合わせた状態に装着する際には、操作片部や扉体当て付け用舌片が、冶具本体から扉体の存在予定側とは反対側や扉体の存在予定側に突出する状態になるものの、操作片部を折り曲げない状態においては、操作片部や扉体当て付け用舌片が、冶具本体から扉体の存在予定側とは反対側や扉体の存在予定側に突出しないものとなるから、冶具本体の搬送を良好に行ない易いものとなる。
【００２８】
つまり、本発明の係合体用取付冶具は、食器洗浄機の製造会社にて作成されて、食器洗浄機と共に梱包された状態で、食器洗浄機をシステムキッチンに装着する施工現場に搬送されることになるが、操作片部を折り曲げない状態においては、操作片部や扉体当て付け用舌片が、冶具本体から扉体の存在予定側とは反対側や扉体の存在予定側に突出しない状態となるから、冶具本体の厚さ方向での大きさを小さくできるため、梱包の際に、冶具本体を小さなスペースで収納し易いものとなり、搬送上有利となるのである。
【００２９】
また、当て付け部の操作片部が、冶具本体に対する折曲げ予定線に対して冶具本体の外方側に向けて突出する状態で位置しかつ折曲げ予定線に沿って扉体の存在予定側とは反対側に向けて折り曲げられるものであり、そして、扉体当て付け用舌片が、操作片部から冶具本体の内方側に向けて突出する状態で操作片部に連なるものであるから、扉体当て付け用舌片を扉体の側端面に適切に当て付けることができる。
【００３０】
つまり、折り曲げられた操作片部は、折り曲げられる前の状態に復帰する傾向となるから、操作片部が折り曲げられる前の状態に復帰しようとする復帰力にて、扉体当て付け用舌片を扉体の側端面に押し付けるようにすることができるため、扉体当て付け用舌片を扉体の側端面に適切に当て付けることができるのである。
【００３１】
要するに、本発明の第２特徴構成は、上記した第１特徴構成による作用効果に加えて、冶具本体の搬送を良好に行うことができ、しかも、扉体当て付け用舌片を扉体の側端面に適切に当て付けることができる食器洗浄機の係合体用取付冶具を提供できる。
【００３２】
本発明の第３特徴構成は、上記第２特徴構成に加えて、
前記冶具本体が折曲げ可能な材料にて構成され、
前記当て付け部の前記操作片部及び前記扉体当て付け用舌片が、前記冶具本体の一部を起立させる形態で構成されている点を特徴とする。
【００３３】
すなわち、冶具本体が折曲げ可能な材料にて構成されて、当て付け部の操作片部及び扉体当て付け用舌片が、冶具本体の一部を起立させる形態で構成されているから、位置決め接当部を備える冶具本体の構成の簡素化を図ることができる。
【００３４】
つまり、当て付け部の操作片部及び扉体当て付け用舌片を備える部材を別途作成して、その部材を冶具本体に付設する形態で、位置決め接当部の当て付け部を冶具本体に備えさせるようにすることが考えられるが、本第３特徴構成によれば、折曲げ可能な材料にて構成されている冶具本体を用いて、当て付け部の操作片部及び扉体当て付け用舌片を構成するものであるから、位置決め接当部を備える冶具本体の構成の簡素化を図ることができるのである。
【００３５】
ちなみに、操作片部や扉体当て付け用舌片を、冶具本体の一部を起立させる形態で構成する場合において、操作片部や扉体当て付け用舌片を冶具本体から切り離すための分離部が必要なときには、その分離部を予め冶具本体に形成しておくことになる。
【００３６】
要するに、本発明の第３特徴構成によれば、上記した第２特徴構成による作用効果に加えて、位置決め接当部を備える冶具本体の構成の簡素化を図ることができる食器洗浄機の係合体用取付冶具を提供できる。
【００３７】
本発明の第４特徴構成は、上記第３特徴構成に加えて、
前記位置決め接当部が、複数の前記当て付け部として、前記扉体の４つの側端面のうちの、左右の側端面の夫々に当て付ける左右一対の左右位置規制用当て付け部、及び、前記扉体の４つの側端面のうちの、上下の側端面のいずれかに当て付ける上下位置規制用当て付け部を備えるように構成されている点を特徴とする。
【００３８】
すなわち、位置決め接当部が、複数の当て付け部として、左右一対の左右位置規制用当て付け部、及び、上下位置規制用当て付け部を備えているから、冶具本体を扉体に対する位置決め状態にする位置決め作業の容易化を図ることができ、しかも、位置決め状態の安定化を図ることができるものとなる。
【００３９】
つまり、冶具本体を扉体に対する位置決め状態にする際の作業手順としては、先ず、上下位置規制用当て付け部を、扉体の上下の側端面のうちの当て付ける側端面から離れるようにした状態において、左右一対の左右位置規制用当て付け部を扉体の左右の側端面の夫々に当て付けるようにすべく、冶具本体を扉体の横幅方向に移動操作しながら下方に操作し、次に、左右一対の左右位置規制用当て付け部によって、扉体に対して、扉体横幅方向の移動が規制されている冶具本体を、扉体の上下幅方向に移動させて、上下位置規制用当て付け部を、扉体の上下の側端面のうちの当て付ける側端面に当て付けるようにする作業手順を用いることができる。
【００４０】
このような作業手順は、冶具本体を扉体横幅方向に移動操作することと、冶具本体を扉上下幅方向に移動させることとを、順次各別に行うものであるから、冶具本体の移動操作が行い易いものであり、しかも、冶具本体を扉上下幅方向に移動させる際には、冶具本体の扉体の横幅方向の移動が規制されているから、冶具本体を扉体の上下幅方向に移動させることが一層行い易いものとなるため、冶具本体を扉体に対する位置決め状態にする位置決め作業の容易化を図ることができるのである。
【００４１】
しかも、冶具本体を扉体に対して位置決めした位置決め状態においては、左右一対の左右位置規制用当て付け部が扉体の左右の側端面の夫々に当て付けられ、かつ、上下位置規制用当て付け部が扉体の上下の側端面のいずれかに当て付けられるものであるから、冶具本体が、扉体の４つの側端面のうちの３つの端面を用いて位置決めされるため、位置決め状態が安定化するものとなる。
【００４２】
要するに、本発明の第４特徴構成によれば、上記した第３特徴構成による作用効果に加えて、冶具本体を扉体に対する位置決め状態にする位置決め作業の容易化を図ることができ、しかも、位置決め状態の安定化を図ることができる食器洗浄機の係合体用取付冶具を提供できる。
【００４３】
本発明の第５特徴構成は、上記第４特徴構成に加えて、
前記扉体が、前記洗浄槽の前部の上下幅方向の全体及び横幅方向の全体を覆うように構成され、
前記上下位置規制用当て付け部として、前記位置指示部の前記扉体に対する位置を扉体上下幅方向で異なる位置に変更する複数の上下位置規制用当て付け部が設けられている点を特徴とする。
【００４４】
すなわち、扉体が、洗浄槽の前部の上下幅方向の全体及び横幅方向の全体を覆うように構成されているから、扉体の表面を、キッチンカウンタの下方に配置される複数の収納部や固定パネル等の設置体の表面と、同一の色調で、同一の図柄となるようにすることによって、食器洗浄機の前面の全体を、キッチンカウンタの下方に設置される複数の収納部や固定パネル等の設置体の表面と、同一の色調で、同一の図柄となるようにすることができるため、食器洗浄機が設置されるシステムキッチンの外観を一層美麗な状態にすることができる。
【００４５】
ちなみに、例えば、食器洗浄機の操作パネルを、扉体の後方側箇所に設置して、洗浄槽を本体ケーシングから少し引き出した状態で、操作パネルを操作するように構成することや、リモコン式の操作部を設けるようにすることによって、扉体が、洗浄槽の前部の上下幅方向の全体及び横幅方向の全体を覆うように構成されていても、食器洗浄機の運転操作を行えるものとなる。
【００４６】
このように、扉体が、洗浄槽の前部の上下幅方向の全体及び横幅方向の全体を覆うように構成されている場合には、扉体として、上下幅が本体ケーシングの上下幅と略同じ大きさの標準的なものに加えて、上下幅が本体ケーシングの上下幅よりも大きいものを使用することが可能となる。
【００４７】
つまり、通常、システムキッチンのキッチンカウンタの下方に配置される複数の収納部や固定パネル等の設置体のうち、食器洗浄機の設置箇所の横側に隣接する設置体の表面の上下幅は、標準的には、食器洗浄機の本体ケーシングの上下幅と、略同じ大きさに定められることになり、この場合には、扉体としては、上下幅が本体ケーシングの上下幅と略同じ大きさの標準的なものを用いることになる。
【００４８】
しかしながら、近年では、食器洗浄機の設置箇所の横側に隣接する設置体の上下幅を、標準的な大きさよりも大きくすることが行われており、このような場合には、食器洗浄機に装着する扉体として、標準的な大きさよりも大きな上下幅の扉体が、食器洗浄機の施工現場に用意されることになる。
ちなみに、上下幅が標準的な大きさよりも大きな上下幅の扉体は、本体ケーシングの上方へ突出させる状態で、洗浄槽の前部に取付けられることになる。
【００４９】
本第５特徴構成においては、位置決め接当部の上下位置規制用当て付け部として、位置指示部の扉体に対する位置を扉体上下幅方向で異なる位置に変更する複数の上下位置規制用当て付け部が設けられているから、食器洗浄機に装着する扉体の上下幅に合わせて、複数の上下位置規制用当て付け部のうちから、適正な上下位置規制用当て付け部を選択することができるため、食器洗浄機に装着する扉体の上下幅が変更しても、冶具本体が位置決め接当部によって扉体に対して位置決めされた位置決め状態においては、位置指示部にて示される係合体存在箇所に位置させた係合体が、扉体の設定適正位置に位置されることになり、係合体を扉体の設定適正位置に取付けることができるのである。
【００５０】
要するに、本発明の第５特徴構成によれば、上記した第４特徴構成による作用効果に加えて、扉体によって洗浄槽の前部の上下幅方向の全体及び横幅方向の全体を覆うようにすることによって、食器洗浄機が設置されるシステムキッチンの外観を一層美麗な状態にすることができ、しかも、食器洗浄機に装着する扉体の上下幅が変化しても、係合体を扉体の設定適正位置に取付けるのに便利に使用できる食器洗浄機の係合体用取付冶具を提供できる。
【００５１】
本発明の第６特徴構成は、上記第１〜第５特徴構成のいずれかに加えて、
前記位置指示部が、前記冶具本体に形成された切欠部として構成されている点を特徴とする。
【００５２】
すなわち、位置指示部が、冶具本体に形成された切欠部として構成されているから、その切欠部にて、係合体存在箇所が示されることになる。
つまり、係合体を切欠部に嵌め込むことによって、係合体を係合体存在箇所に位置させることができることになる。
【００５３】
このように、係合体を、切欠部に嵌め込むことによって、係合体存在箇所に位置させることができるものであるから、冶具本体に対して、係合体を係合体存在箇所に位置決めし易いものとなり、係合体を扉体の設定適正位置に一層的確に取付けることができる。
【００５４】
要するに、本発明の第６特徴構成によれば、上記した第１〜第５特徴構成による作用効果に加えて、係合体を扉体の設定適正位置に一層的確に取付けることができる食器洗浄機の係合体用取付冶具を提供できる。
【００５５】
本発明の第７特徴構成は、上記第６特徴構成に加えて、
前記係合体が、前記冶具本体に予め取付けられている点を特徴とする。
【００５６】
すなわち、係合体が、冶具本体に予め取付けられているから、冶具本体を、位置決め接当部によって位置決めした状態で、扉体に対して重ね合わせた状態に装着すれば、係合体を扉体に対する設定適正位置に位置させることができるものであるから、係合体の取付け作業の一層の簡略化を図ることができる。
【００５７】
しかも、係合体が、冶具本体の切欠部に嵌め込むことによって、係合体存在箇所に位置されているから、例えば、係合体と冶具本体とに亘って接着テープを貼付する等、係合体を冶具本体に予め取り付ける構成の簡素化を図ることができる。
【００５８】
要するに、本発明の第７特徴構成によれば、上記した第６特徴構成による作用効果に加えて、係合体の取付け作業の一層の簡略化を図り、しかも、係合体を冶具本体に予め取り付ける構成の簡素化を図ることができる食器洗浄機の係合体用取付冶具を提供できる。
【００５９】
本発明の第８特徴構成は、上記第１〜第７特徴構成のいずれかに加えて、
前記冶具本体における前記扉体に対向する面に、前記冶具本体を前記扉体に位置決めする両面テープが設けられ、
前記冶具本体に、前記扉体の存在予定側に突出して前記扉体の後面と接当自在な複数の支持部が、退避状態に切換え操作自在に設けられている点を特徴とする。
【００６０】
すなわち、冶具本体における前記扉体に対向する面に、冶具本体を扉体に位置決めする両面テープが設けられているから、冶具本体を、位置決め接当部によって扉体に対して位置決めした位置決め状態で、扉体に対して重ね合わせた状態に装着した際に、両面テープによって、冶具本体と扉体とを接続することができる。
【００６１】
このように、冶具本体と扉体とを接続することができるから、係合体をビス等によって扉体に取付ける際に、冶具本体と扉体との相対移動を抑制するための特別な操作を行うことなく、冶具本体と扉体とを位置決め状態に維持できるため、取付け作業の簡略化を図りながらも、係合体を扉体に対する設定適正位置に的確に取付けることができる。
【００６２】
しかも、冶具本体に、扉体の存在予定側に突出して前記扉体の後面と接当自在な複数の支持部が、退避状態に切換え操作自在に設けられているから、冶具本体を、位置決め接当部によって扉体に対して位置決めした位置決め状態にすべく、冶具本体を扉体の横幅方向や上下幅方向に移動操作するときに、支持部によって冶具本体を扉体から浮上した状態に維持できるため、冶具本体の扉体に対向する面に両面テープが存在しながらも、冶具本体を扉体の横幅方向や上下幅方向に移動操作することを良好に行えることになる。
【００６３】
そして、位置決め接当部によって扉体に対して冶具本体を位置決めした位置決め状態に操作した後に、支持部を退避状態に切換えることにより、冶具本体と扉体とを両面テープによって、接続することができる。
【００６４】
要するに、本発明の第８特徴構成によれば、上記した第１〜第７特徴構成のいずれかによる作用効果に加えて、係合体を扉体に取付ける作業の簡略化を図りながらも、係合体を扉体に対する設定適正位置に的確に取付けることができ、しかも、冶具本体の扉体に対向する面に両面テープが存在しながらも、冶具本体を扉体の横幅方向や上下幅方向に移動操作することを良好に行える食器洗浄機の係合体用取付冶具を提供できる。
【図面の簡単な説明】
【００６５】
【図１】食器洗浄機の斜視図
【図２】扉体の装着部の一部切欠側面図
【図３】洗浄槽の斜視図
【図４】洗浄槽の正面図
【図５】図４におけるＶ−Ｖ線矢視図
【図６】図２におけるＶＩ−ＶＩ線矢視図
【図７】固定受け金具の斜視図
【図８】洗浄槽側レール部材の斜視図
【図９】洗浄槽に前カバーを装着した状態の斜視図
【図１０】扉体に係合体を装着した状態の斜視図
【図１１】係合体の正面図
【図１２】図１１におけるＸＩＩ−ＸＩＩ線矢視図
【図１３】係合体の下方側係合作用部を示す斜視図
【図１４】図１１におけるＸＩＶ−ＸＩＶ線矢視図
【図１５】上方側係合部分の側面図
【図１６】下方側係合部分の側面図
【図１７】偏心回転体の斜視図
【図１８】システムキッチンの斜視図
【図１９】食器洗浄機をキッチンカウンタに装備した状態の切欠側面図
【図２０】第１実施形態の食器洗浄機用係合体取付冶具を示す斜視図
【図２１】同冶具を用いた設置手順を示す斜視図
【図２２】同冶具を用いた設置手順を示す斜視図
【図２３】同冶具を用いた設置手順を示す斜視図
【図２４】同冶具を用いた設置手順を示す斜視図
【図２５】別実施形態の扉体装着部を示す斜視図
【図２６】別実施形態の食器洗浄機を示す側面図
【図２７】第２実施形態の係合体取付冶具を示す斜視図
【図２８】同冶具の要部を示す平面図
【図２９】第３実施形態の係合体取付冶具を示す斜視図
【図３０】同冶具の要部を示す平面図
【図３１】第４実施形態の係合体取付冶具を示す斜視図
【図３２】同冶具を示す縦断側面図
【発明を実施するための形態】
【００６６】
〔第１実施形態〕
次に、本発明の実施形態を図面に基づいて説明する。
（食器洗浄機の構成）
図１に示すように、洗浄槽挿脱用開口Ａが前部に形成された直方体状の本体ケーシング１が設けられ、平面視形状が四角状でかつ上部が開口された洗浄槽２が、洗浄槽挿脱用開口Ａを通して本体ケーシング１に対して挿脱されることにより、本体ケーシング１の内部の洗浄運転用の収納位置に収納された収納状態と本体ケーシング１の前方に引き出された引出し状態とに切換え自在に設けられて、引出し式の食器洗浄機Ｓが構成されている。
【００６７】
すなわち、引出し式の食器洗浄機Ｓは、洗浄槽２を本体ケーシング１から引き出した引出し状態において、食器類等の洗浄対象物を洗浄槽２の内部に収納し、洗浄槽２を本体ケーシング１の収納位置に収納した収納状態において、洗浄運転を行うように構成されている。
【００６８】
尚、洗浄槽２の下方には、洗浄ポンプ等の機器類が、洗浄槽２に組付けられた状態で配設され、洗浄槽２の内部には、洗浄ノズルや加熱用ヒータ等が配設され、また、洗浄槽２の内部には、食器類等の洗浄対象物を収納する洗浄カゴが、取出し自在に収納されることになるが、それらの構成は周知であるので、本実施形態においては説明を省略する。
【００６９】
また、洗浄槽２を本体ケーシング１に収納した状態において洗浄槽２の上面部を閉塞する内蓋部が、洗浄槽２を本体ケーシング１から引き出した引出し状態では洗浄槽２の上面部を開口するように、洗浄槽２の引き出し及び収納に伴って自動的に開閉される形態で設けられることになるが、その構成は周知であるので、本実施形態においては説明を省略する。
【００７０】
図１及び図２に示すように、洗浄槽２の前部には、洗浄槽２の収納状態において、本体ケーシング１の洗浄槽挿脱用開口Ａを閉じる矩形板状の扉体３が設けられている。
本実施形態の扉体３は、洗浄槽２の前部の上下幅方向の全体及び横幅方向の全体を覆うように構成され、扉体３の上部側箇所には、引出し操作用の把手部４が設けられている。
具体的には、扉体３は、その横幅が本体ケーシング１の横幅よりも少し大きく、且つ、その上下幅が本体ケーシング１の上下幅と同じ大きさとなるように構成されている。
【００７１】
ちなみに、洗浄槽２の前端部の上方箇所、つまり、扉体３の上部側部分の後方側箇所には、洗浄運転に関する種々の情報を指令する操作パネルＢが装備されており、洗浄槽２を引出し状態にして、操作パネルＢにて洗浄運転に関する情報を入力し、その後、洗浄槽２を収納状態することによって、運転制御部（図示せず）が、操作パネルＢにて入力された情報に基づいて、洗浄ポンプや加熱用ヒータ等を作動させて洗浄運転を実行するように構成されている。
【００７２】
尚、図示はしないが、洗浄槽２を収納状態にロックするロック装置や、洗浄槽２が収納状態であること検出する収納検出装置が装備されおり、上記運転制御部が、洗浄槽２が収納状態であることを確認しながら、洗浄運転を実行するように構成されている。
【００７３】
図１に示すように、洗浄槽２を本体ケーシング１に対して移動自在に支持する左右一対のスライド式レール機構Ｌが、洗浄槽２の底部の左右両端部に対応する箇所に設けられており、洗浄槽２が、引出し状態において、その大部分を本体ケーシング１の外方に露出させる状態に引き出すことができるように構成されている。
【００７４】
つまり、図３〜図５及び図８に示すように、スライド式レール機構Ｌを構成する洗浄槽側レール部材６に、長尺状の洗浄槽接続部材７が装備され、この洗浄槽接続部材７に、洗浄槽２の底部の左右両端部が取付けられている。
尚、洗浄槽側レール部材６は、本体ケーシング１に設けた本体ケーシング側レール部材（図示せず）に対して、スライド自在に係合されることになる。
【００７５】
ちなみに、図３及び図４に示すように、洗浄槽２の左右の側壁２Ｓの下端部には、スライド式レール機構Ｌを覆う下方張出部２ｄが延設され、また、図３及び図６に示すように、洗浄槽２の左右の側壁２Ｓの前端部には、洗浄槽２の前面部に設けた機器類を覆う前方張出部２ｆが延設されている。
尚、下方張出部２ｄと前方張出部２ｆとは、一連に連なる板状に形成されている。
【００７６】
図１８及び図１９に示すように、本実施形態の食器洗浄機Ｓは、システムキッチンＫのキッチンカウンタ８の下方に、引出し式の収納部や固定パネル等の設置体Ｄと並べる状態で設置されるものであって、扉体３の表面が、設置体Ｄの前面部の表面と、同一の色調で、同一の図柄となるように構成されている。
尚、図１９においては、食器洗浄機Ｓの下方に、設置体Ｄとして、引出し式の収納部が配置される場合を例示する。
【００７７】
（扉体の装着構成）
食器洗浄機Ｓの扉体３は、食器洗浄機ＳをシステムキッチンＫに設置する際に、その施工現場にて、洗浄槽２の前部に装着されるものであり、以下、扉体３を洗浄槽２の前部に装着する構成について説明する。
【００７８】
図１０に示すように、扉体３の後面には、係合体Ｅが取付けられ、そして、洗浄槽２の前部には、図３〜図５に示すように、係合部Ｆが設けられている。
従って、扉体３の後面に取付けた係合体Ｅが、洗浄槽２の前部に設けた係合部Ｆに係合された状態で、扉体３が洗浄槽２の前部に装着されることになる。
【００７９】
係合体Ｅは、上方側の左右一対の係合作用部Ｅｕ、及び、下方側の左右一対の係合作用部Ｅｓを備えるように構成され、そして、係合部Ｆが、係合体Ｅに合わせて、上方側の左右一対の係合作用部Ｅｕの夫々が各別に係合する上方側の左右一対の係合部分Ｆｕ、及び、下方側の左右一対の係合作用部Ｅｓの夫々が各別に係合する下方側の左右一対の係合部分Ｆｓを備えるように構成されている。
【００８０】
係合体Ｅについて説明を加えると、本実施形態においては、図１０に示すように、上方側の左方の係合作用部Ｅｕ及び下方側の左方の係合作用部Ｅｓを上下両端に備える左方側係合体形成金具１０Ｌ、及び、上方側の右方の係合作用部Ｅｕ及び下方側の右方の係合作用部Ｅｓを上下両端に備える右方側係合体形成金具１０Ｒが設けられている。
【００８１】
そして、それら左方側係合体形成金具１０Ｌ及び右方側係合体形成金具１０Ｒの上下２箇所が、扉体３の後面にビス１１ｄにて止着される支持金具１１に対して、扉体３の横幅方向（洗浄槽横幅方向）に沿って位置調節自在な状態で接続されている。
【００８２】
左方側係合体形成金具１０Ｌ及び右方側係合体形成金具１０Ｒは、左右対称に構成されて、支持金具１１に対して同様な構成にて接続されるものであるため、以下、右方側係合体形成金具１０Ｒを代表にして、その構成、及び、支持金具１１に対する接続構成について説明し、左方側係合体形成金具１０Ｌについては、必要に応じて適宜説明を加える。
【００８３】
図１０及び図１１に示すように、右方側係合体形成金具１０Ｒは、扉体３の上下幅方向（洗浄槽上下幅方向）に伸びる断面形状Ｌ型の軸状部１０ａの上下両端に、上方側の係合作用部Ｅｕを形成する上方板状部１０ｕ、及び、下方側の係合作用部Ｅｓを形成する下方板状部１０ｓを備えるものであって、扉体３の横幅方向視において、Ｕ字状に構成されている。
つまり、断面形状Ｌ型の軸状部１０ａは、その長手方向視にて、一辺側部分を扉体３の後面に当て付けた状態に装着されるものであって、軸状部１０ａにおける扉体３から起立姿勢となる他辺側部分に、上方板状部１０ｕ及び下方板状部１０ｓが連設されている。
【００８４】
軸状部１０ａにおける上下の支持金具１１に対応する箇所には、扉体３の横幅方向に伸びる二股状の中間板状部１０ｍが、軸状部１０ａにおける扉体３の後面に当て付けられる一辺側部分から連なる状態で形成され、それら中間板状部１０ｍが、支持金具１１に対して、扉体３の横幅方向に移動自在にかつ扉体３の上下幅方向での移動を規制された状態に係合するように構成されている。
つまり、支持金具１１は、扉体３の厚さ方向視（前後幅方向視）にて、帯板状に構成されるものであって、支持金具１１の上下の縁部に対して、中間板状部１０ｍの内縁部が摺接する状態となるように構成されている。
【００８５】
軸状部１０ａにおける上下の支持金具１１に対応する箇所には、扉体３の横幅方向に伸びる逆Ｕ字状の連結片１０ｒが、軸状部１０ａにおける扉体３から起立姿勢となる他辺側部分に連なる状態で形成されている（図１２及び図１３参照）。
【００８６】
支持金具１１は、図１２及び図１３に明示するように、扉体３の後面にビス止めされる板部分１１ａと、逆Ｕ字状の接続部分１１ｂとを、扉体３の横幅方向に並ぶ状態で備える形態に構成されている。
そして、接続部分１１ｂには、接続体１２が装備され、接続部分１１ｂにおける上壁に相当する部分には、扉体３の横幅方向に沿う長孔１３が形成されている。
【００８７】
接続体１２は、図１２〜図１４に示すように、支持金具１１における接続部分１１ｂと扉体３の後面との間に配置される本体部分１２ａと、本体部分１２ａから上方に突出する突出部分１２ｂとを備える状態に形成されている。
本体部分１２ａが、支持金具１１の接続部分１１ｂに形成した長孔１３の横幅よりも大きな横幅を有する状態に形成され、そして、突出部分１２ｂが、支持金具１１の接続部分１１ｂに形成した長孔１３の横幅よりも小さな横幅となる状態に形成されて、長孔１３を通して、接続部分１１ｂの外方に突出するように構成されている。
つまり、接続体１２は、扉体３の横幅方向に移動自在な状態で、支持金具１１の接続部分１１ｂに装着されている。
【００８８】
接続体１２における突出部分１２ｂが、扉体３の横幅方向に沿って二股状となるように形成されている。
そして、右方側係合体形成金具１０Ｒにおける連結片１０ｒの先端が、接続体１２に係合するように構成され、かつ、連結片１０ｒを貫通する頭付ボルト１４が、接続体１２に螺合する状態で設けられている。
【００８９】
すなわち、頭付ボルト１４は、連結片１０ｒと接続体１２とに亘って架設されることになり、締め込みに伴って、接続体１２の本体部分１２ａを支持金具１１の接続部分１１ｂに圧接させて、接続体１２の支持金具１１に対する移動を固定し、かつ、連結片１０ｒを接続体１２に向けて押圧して、接続体１２に対する連結片１０ｒの離脱を阻止する状態に固定するように構成されている。
したがって、頭付ボルト１４を操作しながら、右方側係合体形成金具１０Ｒの扉体３に対する横幅方向での位置を調節できるように構成されている。
【００９０】
つまり、頭付ボルト１４を緩めた状態において、接続体１２の支持金具１１に対する扉体３の横幅方向での位置を変更しながら、右方側係合体形成金具１０Ｒの扉体３に対する横幅方向での位置を変更することができ、かつ、頭付ボルト１４を締め付けた状態において、接続体１２の支持金具１１に対する扉体３の横幅方向での移動を固定することによって、右方側係合体形成金具１０Ｒの扉体３に対する横幅方向での移動を固定することができるように構成されている。
【００９１】
本実施形態においては、右方側係合体形成金具１０Ｒの上下２箇所に対応して支持金具１１が設けられるものであるから、右方側係合体形成金具１０Ｒの扉体３に対する横幅方向での位置を調節する際には、上下２箇所の頭付ボルト１４を操作しながら行うことになる。
また、左方側係合体形成金具１０Ｌに対しても、上下２箇所に対応して支持金具１１が設けられるものであるから、左方側係合体形成金具１０Ｌの扉体３に対する横幅方向での位置を調節する際には、上下２箇所の頭付ボルト１４を操作しながら行うことになる。
【００９２】
尚、扉体３を洗浄槽２の前部に装着した状態においては、左方側係合体形成金具１０Ｌや右方側係合体形成金具１０Ｒは、洗浄槽２の前部の係合部Ｆに支持された状態になるものであるから、扉体３を洗浄槽２の前部に装着した状態においては、左方側係合体形成金具１０Ｌや右方側係合体形成金具１０Ｒに対して、扉体３に取付けた支持金具１１の洗浄槽横幅方向での位置が調節されることになり、この調節によって、洗浄槽２に対する扉体３の洗浄槽横幅方向での位置が調節されることになる。
【００９３】
ちなみに、扉体３を洗浄槽２に装着した状態、つまり、扉体３の後面に取付けた係合体Ｅを洗浄槽２の前部に設けた係合部Ｆに係合させて、扉体３を洗浄槽２の前部に装着した状態においては、左方側係合体形成金具１０Ｌ及び右方側係合体形成金具１０Ｒが、洗浄槽２における左右の前方張出部２ｆの間に位置するものとなるが、図２及び図６に示すように、洗浄槽２における左右の前方張出部２ｆには、頭付ボルト１４を操作するためのボルト操作用孔１５が形成されているため、扉体３を洗浄槽２に装着した状態においても、頭付ボルト１４を操作しながら、洗浄槽２に対する扉体３の洗浄槽横幅方向での位置を調節できるようになっている。
【００９４】
次に、係合体Ｅにおける上方側の左右一対の係合作用部Ｅｕ及び下方側の左右一対の係合作用部Ｅｓ、並びに、係合部Ｆにおける上方側の左右一対の係合部分Ｆｕ及び下方側の左右一対の係合部分Ｆｓを説明する。
尚、上方側の左右一対の係合作用部Ｅｕは同様に構成され、下方側の左右一対の係合作用部Ｅｓも同様に構成されるものであるため、以下、右方側係合体形成金具１０Ｒが備える上方側の右方の係合作用部Ｅｕ、及び、下方側の右方の係合作用部Ｅｓを代表として説明し、左方側係合体形成金具１０Ｌが備える上方側の左方の係合作用部Ｅｕ、及び、下方側の左方の係合作用部Ｅｓについては、必要に応じて説明を加える。
【００９５】
また、上方側の左右一対の係合部分Ｆｕは同様に構成され、下方側の左右一対の係合部分Ｆｓも同様に構成されるものであるため、係合部Ｆについても、右方側係合体形成金具１０Ｒが備える上方側の右方の係合作用部Ｅｕが係合する上方側の右方の係合部分Ｆｕ、及び、下方側の右方の係合作用部Ｅｓが係合する下方側の右方の係合部分Ｆｓを代表として説明し、上方側の左方の係合部分Ｆｕ、及び、下方側の左方の係合部分Ｆｓについては、必要に応じて説明を加える。
【００９６】
図２、図１０及び図１５に示すように、上方側の右方の係合作用部Ｅｕを形成する右方側係合体形成金具１０Ｒの上方板状部１０ｕには、上方側の右方の係合部分Ｆｕが備える前後位置調整用回転体１６に上方より係合する下向き開口状の係合孔１７、及び、固定用ボルト１８が挿通する４角状の挿通孔１９が形成されている。
【００９７】
上方側の右方の係合部分Ｆｕは、図３、図５及び図７に示すように、洗浄槽２の前部の上方箇所にビス止めされる横長状の固定受け金具２０の端部に装備されている。
すなわち、固定受け金具２０は、横長枠体状の本体部２０ａと、その本体部２０ａの両端部の前後方向に沿う姿勢の板状部２０ｂとから構成され、その板状部２０ｂに、前後位置調整用回転体１６が回転自在に支持され、また、固定用ボルト１８が螺合する連結孔２１が形成されている。
【００９８】
前後位置調整用回転体１６は、図１７に示すように、マイナスドライバーの先端が係合する係合溝２２を備えた円盤状の頭部１６Ａと、円柱状の軸部１６Ｂとを備えるものであり、軸部１６Ｂが、頭部１６Ａの中心に対して偏心する状態で、頭部１６Ａに対して接続されて、いわゆる偏心式のカム操作体として構成されている。
そして、前後位置調整用回転体１６の軸部１６Ｂが板状部２０ｂに回転自在に嵌合されており、前後位置調整用回転体１６の頭部１６Ａを回転操作することにより、右方側係合体形成金具１０Ｌの上方板状部１０ｕを洗浄槽前後幅方向（扉体３の厚さ方向）に移動させることができるように構成されている。
【００９９】
固定用ボルト１８は、右方側係合体形成金具１０Ｒの上方板状部１０ｕの挿通孔１９を覆う大きさの頭部を備える又は挿通孔１９を覆う大きさの座金を介在させて装着されるものであって、固定受け金具２０の板状部２０ｂの連結孔２１に螺合させて締め付けることにより、右方側係合体形成金具１０Ｒの上方板状部１０ｕを固定受け金具２０の板状部２０ｂに密着させた状態に固定するように構成されている。
【０１００】
図２、図１０及び図１６に示すように、下方側の右方の係合作用部Ｅｓを形成する右方側係合体形成金具１０Ｒの下方板状部１０ｓには、下方側の右方の係合部分Ｆｓが備える前後位置調整用回転体２３に上方より係合する下向き開口状の係合孔２４、下方側の右方の係合部分Ｆｓが備える上下位置調整用回転体２５に対して上方から接当する接当部２６、及び、固定用ボルト２７が挿通する４角状の挿通孔２８が形成されている。
【０１０１】
下方側の右方の係合部分Ｆｕは、図５及び図８に示すように、洗浄槽側レール部材６に装備した洗浄槽接続部材７の前端部に設けられている。
すなわち、洗浄槽接続部材７の前端部に、前後方向に沿う姿勢の板体２９が上方に向けて起立する状態で設けられ、その板体２９に、前後位置調整用回転体２３及び上下位置調整用回転体２５が回転自在に支持され、また、固定用ボルト２７が螺合する連結孔３０が形成されている。
【０１０２】
前後位置調整用回転体２３及び上下位置調整用回転体２５は、上方側の係合部分Ｆｕが備える前後位置調整用回転体１６と同様に、いわゆる偏心式のカム操作体として構成されて、板体２９に回転自在に支持されている。
したがって、前後位置調整用回転体２３を回転操作することにより、右方側係合体形成金具１０Ｒの下方板状部１０ｓを洗浄槽前後幅方向（扉体３の厚さ方向）に移動させることができ、また、上下位置調整用回転体２５を回転操作することにより、右方側係合体形成金具１０Ｒを洗浄槽上下幅方向（扉体３の上下幅方向）に移動させることができるように構成されている。
【０１０３】
固定用ボルト２７は、上方側の右方の係合部分Ｆｕの固定用ボルト１８と同様に、右方側係合体形成金具１０Ｒの下方板状部１０ｓの挿通孔２８を覆う大きさの頭部を備える又は挿通孔２８を覆う大きさの座金を介在させて装着されるものであって、板体２９の連結孔３０に螺合させて締め付けることにより、右方側係合体形成金具１０Ｒの下方板状部１０ｓを板体２９に密着させた状態に固定するように構成されている。
【０１０４】
また、左方側係合体形成金具１０Ｌの上方板状部１０ｕが、固定受け金具２０の板状部２０ｂの横外方側に位置し、かつ、右方側係合体形成金具１０Ｒの上方板状部１０ｕが、固定受け金具２０の板状部２０ｂの横外方側に位置するように構成され、また、左方側係合体形成金具１０Ｌの下方板状部１０ｓが、洗浄槽接続部材７に装備した板体２９の横外方側に位置し、かつ、右方側係合体形成金具１０Ｒの下方板状部１０ｓが、洗浄槽接続部材７に装備した板体２９の横外方側に位置するように構成されることによって、扉体３が洗浄槽横幅方向に移動することが規制されている。
【０１０５】
ちなみに、扉体３を洗浄槽２に装着するために、扉体３に取付けた係合体Ｅを洗浄槽２の前部に設けた係合部Ｆに係合させた状態においては、左方側係合体形成金具１０Ｌ及び右方側係合体形成金具１０Ｒが、洗浄槽２における左右の前方張出部２ｆの間に位置するものとなるが、図２、図３、図１５及び図１６に示すように、洗浄槽２における右方の前方張出部２ｆには、上方側操作用窓３１及び下方側操作用窓３２が形成されている。
【０１０６】
そして、上方側操作用窓３１を通して、上方側の右方の係合作用部Ｅｕと上方側の右方の係合部分Ｆｕとの係合状態の確認や、上方側の右方の係合部分Ｆｕが備える前後位置調整用回転体１６の回転操作を行うことができ、加えて、固定用ボルト１８の装着作業を行えるように構成されている。
また、下方側操作用窓３２を通して、下方側の右方の係合作用部Ｅｓと下方側の右方の係合部分Ｆｓとの係合状態の確認や、下方側の右方の係合部分Ｆｓが備える前後位置調整用回転体２３及び上下位置調整用回転体２５の回転操作を行うことができ、加えて、固定用ボルト２７の装着作業を行えるように構成されている。
【０１０７】
ちなみに、図示は省略するが、上方側操作用窓３１及び下方側操作用窓３２は、上方側の左方の係合作用部Ｅｕと上方側の左方の係合部分Ｆｕとが係合する箇所及び下方側の左方の係合作用部Ｅｓと下方側の左方の係合部分Ｆｓとが係合する箇所に対応する状態で、左方の前方張出部２ｆにも形成されることになる。
【０１０８】
食器洗浄機Ｓの扉体３は、上述の如く、食器洗浄機ＳをシステムキッチンＫに設置する際に、その施工現場にて、洗浄槽２の前部に装着されることになるため、食器洗浄機Ｓの洗浄槽２の前部には、図２、図６及び図９に示すように、合成樹脂製の前カバーＭが装着されて、洗浄槽２の前部に装備した機器類を覆うように構成されている。
【０１０９】
前カバーＭは、平面視形状がコの字状に構成されるものであって、その横幅方向の端部を洗浄槽２の左右の前方張出部２ｆの外方に位置させる状態で、その上部側の左右両側部分が、樹脂製の装着ネジ３３にて洗浄槽２に止着されている。
そして、前カバーＭには、係合体Ｅにおける上方側の左右一対の係合作用部Ｅｕ及び下方側の左右一対の係合作用部Ｅｓを挿通させるために、上下方向に沿う４つのスリット状開口３４が形成されている。
【０１１０】
また、前カバーＭには、図６及び図９に示すように、左方側係合体形成金具１０Ｌや右方側係合体形成金具１０Ｒにおける支持金具１１との接続部分を挿通させる４つの窓状の挿通開口３５が形成されており、扉体３を洗浄槽２の前部に装着した状態において、前カバーＭを、扉体３と洗浄槽２の間に位置させることができるように構成されている。
尚、前カバーＭの上部側箇所には、扉体３を装着しない状態において、洗浄槽２を引出し操作する仮把手部３６が形成されている。
【０１１１】
ちなみに、図２に示すように、洗浄槽２における前面部の上端箇所には、扉体３の後面と接当するシール部材３７が装備されて、扉体３の洗浄槽２に対する洗浄槽前後幅方向での位置が変更されても、扉体３と洗浄槽２との間に大きな隙間が生じることを抑制するように構成されている。
【０１１２】
次に、扉体３を洗浄槽２に装着する手順について説明を加える。
先ず、扉体３の後面に装着した係合体Ｅにおける上方側の左右一対の係合作用部Ｅｕ及び下方側の左右一対の係合作用部Ｅｓを、前カバーＭのスリット状開口３４を通して、前カバーＭの内部に挿入し、次に、上方側の左右一対の係合作用部Ｅｕ及び下方側の左右一対の係合作用部Ｅｓを、上方側の左右一対の係合部分Ｆｕ及び下方側の左右一対の係合部分Ｆｓに係合させることになる。
【０１１３】
具体的には、左方側係合体形成金具１０Ｌや右方側係合体形成金具１０Ｒにおける上方板状部１０ｕの係合孔１７を、上方側の係合部分Ｆｕの前後位置調整用回転体１６に係合させる。
同様に、左方側係合体形成金具１０Ｌや右方側係合体形成金具１０Ｒにおける下方板状部１０ｓの係合孔２４を、下方側の係合部分Ｆｕの前後位置調整用回転体２３に係合させ、かつ、下方板状部１０ｓの接当部２６を下方側の係合部分Ｆｓの上下位置調整用回転体２５に接当する状態に載せ付ける。
【０１１４】
次に、係合体Ｅにおける上方側の左右一対の係合作用部Ｅｕ及び下方側の左右一対の係合作用部Ｅｓを、上方側の左右一対の係合部分Ｆｕ及び下方側の左右一対の係合部分Ｆｓに係合させた状態において、扉体３の洗浄槽上下幅方向での位置、扉体３の洗浄槽前後幅方向での位置、及び、扉体３の洗浄槽横幅方向での位置を調節することになり、加えて、扉体３の前後方向での傾きや左右方向での傾きを調節することになる。
【０１１５】
具体的には、左右一対の下方側の係合部分Ｆｓに装備した上下位置調整用回転体２５を回転操作することにより、扉体３の洗浄槽上下幅方向での位置を調節する。
また、上方側の左右一対の係合部分Ｆｕに装備した前後位置調整用回転体１６及び下方側の左右一対の係合部分Ｆｓに装備した前後位置調整用回転体２３の回転操作により、扉体３の洗浄槽前後幅方向での位置を調節することになる。
この際、左右の前後位置調整用回転体１６及び左右の前後位置調整用回転体２３の回転操作により、扉体３の上方側の左右両側部分及び下方側の左右両側部分についての洗浄槽前後幅方向での位置を調節することにより、扉体３の前後方向での傾きや左右方向での傾きを調節することができる。
【０１１６】
また、必要に応じて、頭付ボルト１４を操作しながら、左方側係合体形成金具１０Ｌや右方側係合体形成金具１０Ｒの扉体３に対する横幅方向での位置を調節することによって、扉体３の洗浄槽横幅方向での位置を調節することができる。
【０１１７】
そして、扉体３の洗浄槽２に対する位置調節が終了すると、上方側の左右一対の係合部分Ｆｕに対応する固定用ボルト１８及び下方側の左右一対の係合部分Ｆｓに対応する固定用ボルト２７を締結し、また、４つの頭付ボルト１４を締結する締結作業を行う。
【０１１８】
ちなみに、扉体３を洗浄槽２の前部に装着する作業を行う際には、装着ネジ３３を少し緩めて、前カバーＭを前後に揺動できる状態にしておき、上述した締結作業が終了した段階で、前カバーＭを扉体３後面に密着させるように揺動させ、その後、装着ネジ３３を締め付けて、前カバーＭを固定することになる。
【０１１９】
（係合体取付冶具の構成）
上述の通り、食器洗浄機ＳをシステムキッチンＫに設置する際に、その施工現場にて、洗浄槽２の前部に扉体３を装着することになるが、扉体３を装着する際には、扉体３の後面に、係合体Ｅを取付けることになる。
そして、図２０及び図２１に示すように、扉体３に係合体Ｅを取付ける際に、扉体３に対する係合体Ｅの取付け位置を定める係合体取付冶具Ｑが設けられている。
【０１２０】
係合体取付冶具Ｑは、扉体３に対して重ね合わせた状態に装着自在な矩形板状の冶具本体４０を備えており、この冶具本体４０に、扉体３の４つの辺の夫々に対応する４つの側端面のうちの、少なくとも隣接する２つの側端面との接当により、扉体３に対する冶具本体４０の扉体３の板面方向での位置を定める位置決め接当部Ｇ、及び、冶具本体４０に対して係合体Ｅを位置させる係合体存在箇所を示す位置指示部Ｈが設けられている。
そして、位置指示部Ｈが示す係合体存在箇所が、冶具本体４０が位置決め接当部Ｇによって扉体３に対して位置決めされた位置決め状態において、扉体３に対して係合体Ｅを取付ける設定適正位置に対応する箇所であるように構成されている。
【０１２１】
位置決め接当部Ｇが、扉体３における複数の側端面の夫々に各別に当て付ける複数の当て付け部４１を備える状態に構成されている。
本実施形態においては、複数の当て付け部４１として、扉体３の４つの側端面のうちの、左右の側端面の夫々に当て付ける左右一対の左右位置規制用当て付け部４１Ａ、及び、扉体の４つの側端面のうちの、上下の側端面のいずれかに当て付ける上下位置規制用当て付け部４１Ｂとを備えるように構成されている。
尚、本実施形態においては、上下位置規制用当て付け部４１Ｂは、上下の側端面のうちの上方側の側端面に当て付けるように構成されている。
【０１２２】
当て付け部４１の夫々が、冶具本体４０に対する折曲げ予定線Ｒに対して冶具本体４０の外方側に向けて突出する状態で位置しかつ折曲げ予定線Ｒに沿って扉体３の存在予定側とは反対側に向けて折り曲げる操作片部４１ｓと、その操作片部４１ｓから冶具本体４０の内方側に向けて突出する状態で操作片部４１ｓに連なる扉体当て付け用舌片４１ｔとを備える形態に構成されている。
そして、扉体当て付け用舌片４１ｔが、操作片部４１ｓを扉体３の存在予定側とは反対側に向けて折り曲げたときに、扉体３の存在予定側に向けて起立するように構成されている。
【０１２３】
また、本実施形態においては、冶具本体４０は、折曲げ可能な材料としてのダンボール紙にて構成され、当て付け部４１の操作片部４１ｓ及び扉体当て付け用舌片４１ｔが、冶具本体４０の一部を起立させる形態で構成されている。
【０１２４】
すなわち、冶具本体４０が、扉体３よりも大きな板状となるように形成されている。
従って、冶具本体４０を扉体３に重ね合わせた状態を想定したときに、左右位置規制用当て付け部４１Ａの折曲げ予定線Ｒが、扉体３の左右の辺に沿う状態で存在し、かつ、上下位置規制用当て付け部４１Ｂの折曲げ予定線Ｒが、扉体３の上方の辺に沿う状態で存在することになる。
【０１２５】
そして、冶具本体４０における左右位置規制用当て付け部４１Ａの折曲げ予定線Ｒよりも外方側部分にて、左右位置規制用当て付け部４１Ａの操作片部４１ｓが構成され、冶具本体４０における上下位置規制用当て付け部４１Ｂの折曲げ予定線Ｒよりも外方側部分にて、上下位置規制用当て付け部４１Ｂの操作片部４１ｓが構成される。
【０１２６】
また、左右位置規制用当て付け部４１Ａの扉体当て付け用舌片４１ｔが、左右位置規制用当て付け部４１Ａの操作片部４１ｓの上下方向の中央部から冶具本体４０の内方に向けて突出する状態で存在することになり、具体的には、扉体当て付け用舌片４１ｔの外周縁に沿って、冶具本体４０と分離するための分離部４２が形成されている。
【０１２７】
同様に、上下位置規制用当て付け部４１Ｂの扉体当て付け用舌片４１ｔが、上下位置規制用当て付け部４１Ｂの操作片部４１ｓの左右方向の中央部から冶具本体４０の内方に向けて突出する状態で存在することになり、具体的には、扉体当て付け用舌片４１ｔの外周縁に沿って、冶具本体４０と切り離すための分離部４２が形成されている。
【０１２８】
また、本実施形態においては、位置指示部Ｈが、冶具本体４０に形成された切欠部４３として構成されている。
つまり、冶具本体４０には、切欠部４３として、左方側係合体形成金具１０Ｌ及びそれに組み付けられている支持金具１１や接続体１２を嵌め込む嵌合孔４３Ｌや、右方側係合体形成金具１０Ｒ及びそれに組み付けられている支持金具１１や接続体１２を嵌め込む嵌合孔４３Ｒが形成されている。
【０１２９】
また、本実施形態においては、係合体Ｅが、接着テープ４４によって冶具本体４０に予め取付けられている。
すなわち、係合体Ｅを冶具本体４０の切欠部４３に嵌め込んだ状態において、冶具本体４０における扉体３の存在予定側とは反対側の面に、係合体Ｅと冶具本体４０に亘る状態で接着テープ４４が貼り付けられている。
【０１３０】
以上の通り、本実施形態の係合体取付冶具Ｑは、冶具本体４０に係合体Ｅを予め取付けた状態で、かつ、位置決め接当部Ｇを構成する複数の当て付け部４１を折り畳んだ状態で、扉体３が装着されていない食器洗浄機Ｓ（図９参照）と共に設置箇所に搬送されることになる。
【０１３１】
そして、扉体３を洗浄槽２に装着する際には、先ず、図２１に示すように、複数の当て付け部４１を起立状態に操作する。
次に、図２２及び図２３に示すように、左右一対の左右位置規制用当て付け部４１Ａを扉体３の左右の側端面に当て付け且つ上下位置規制用当て付け部４１Ｂを扉体３の上方の側端面に当て付けるようにしながら、冶具本体４０を扉体３の後面に重ね合わせる状態に装着し、その後、左方側係合体形成金具１０Ｌに組み付けられている支持金具１１や右方側係合体形成金具１０Ｒに組み付けられている支持金具１１を、ビス１１ｄにて扉体３に固定する。
【０１３２】
左方側係合体形成金具１０Ｌの支持金具１１や右方側係合体形成金具１０Ｒの支持金具１１を扉体３に固定した後は、図２４に示すように、係合体取付冶具Ｑを扉体３から取外すことになる。
具体的には、冶具本体４０を上方側に持ち上げるようにして、接着テープ４４を左方側係合体形成金具１０Ｌの支持金具１１や右方側係合体形成金具１０Ｒの支持金具１１から離脱させながら、冶具本体４０を扉体３から取外すことになる。
尚、係合体取付冶具Ｑを扉体３から取外す際に、予め、接着テープ４４を剥がしておいてもよい。
【０１３３】
〔第２実施形態〕
次に、第２実施形態について説明する。
すなわち、扉体３は、標準状態として、上記第１実施形態にて説明した如く、本体ケーシング１の上下幅と同じ大きさのものが用いられるが、図２５及び図２６に示すように、本体ケーシング１の上下幅よりも大きいものが用いられることがある。
【０１３４】
つまり、例えば、食器洗浄機Ｓの横側に位置する設置体Ｄの上下幅が、食器洗浄機Ｓの本体ケーシング１よりも大きい場合において、システムキッチンＫの外観を美麗にするために、扉体３として、食器洗浄機Ｓの横側に位置する設置体Ｄの上下幅と同じ大きさのものを用いる場合がある。
【０１３５】
このような場合には、扉体３が本体ケーシング１の上方に向けて設定量Ｊを突出させた形態で洗浄槽２の前部に装着されることになる。
また、食器洗浄機Ｓの横側に位置する設置体Ｄの上下幅が、食器洗浄機Ｓの本体ケーシング１よりも大きくなる場合において、その上下幅も種々の大きさとなる場合がある。つまり、上述の設定量Ｊが変化する場合がある。
【０１３６】
このような状況に対応すべく、図２７及び図２８に示すように、係合体取付冶具Ｑが、上下位置規制用当て付け部４１Ｂとして、位置指示部Ｈの扉体３に対する位置を上下方向で異なる方向に変更する複数の上下位置規制用当て付け部４１Ｂが設けられている。
【０１３７】
すなわち、この第２実施形態においては、複数の上下位置規制用当て付け部４１Ｂは、第１実施形態と同様に、扉体３の上方の辺に対応する側端面に接当するものであり、そして、扉体３の上下幅方向に並ぶ状態に形成されている。
【０１３８】
つまり、冶具本体４０が、最も大きな扉体３の上下幅よりも大きな上下幅を有する状態に形成されている。
そして、冶具本体４０に、折曲げ予定線Ｒとして、本体ケーシング１の上下幅と同じ大きさの標準的な大きさの扉体３に対する上下位置規制用当て付け部４１Ｂを形成するための標準用折曲げ予定線Ｒｈに加えて、本体ケーシング１の上下幅よりも大きい大きさの扉体３に対する上下位置規制用当て付け部４１Ｂを形成するための幅広用折曲げ予定線Ｒｗが、扉体３の上下幅方向に相当する方向（冶具本体４０の上下幅方向）に沿わせて設定間隔（例えば、５ｍｍ間隔）おきに複数設定されることになる。
【０１３９】
複数の折曲げ予定線Ｒの夫々に対応して、左右一対のＬ字状の切除部４５が、折曲げ予定線Ｒよりも冶具本体４０の内方に向けて突出する状態で形成され、複数の折曲げ予定線Ｒの左右一対のＬ字状の切除部４５の間に、切断予定線Ｕが設定されることになる。
尚、切除部４５の上下方向に沿う長さが、複数の折曲げ予定線Ｒが並ぶ設定間隔よりも大きなため、複数の折曲げ予定線Ｒの夫々に対応する左右の切除部４５が、冶具本体４０の端縁側に位置するものほど、冶具本体４０の横幅方向において内方側に位置する状態に形成されている。
【０１４０】
したがって、この第２実施形態の係合体取付冶具Ｑは、装着する扉体３の上下幅に応じて、複数の折曲げ予定線Ｒのうちのいずれかを選択し、そして、選択した折曲げ予定線Ｒに対応する切断予定線Ｕを、カッターナイフ等により切断することになる。
そして、切断予定線Ｕを切断した状態においては、選択した折曲げ予定線Ｒに対して冶具本体４０の外方側に位置する部分にて操作片部４１ｓが形成され、その操作片部４１ｓから冶具本体４０の内方側に突出する部分にて扉体当て付け用舌片４１ｔが形成されることになる。
【０１４１】
つまり、複数の折曲げ予定線Ｒのうちのいずれかを選択することは、複数の上下位置規制用当て付け部４１Ｂのうちのいずれかを選択することに相当することになる。
そして、選択した上下位置規制用当て付け部４１Ｂの操作片部４１ｓを扉体３の存在予定側とは反対側に向けて折り曲げて、扉体当て付け用舌片４１ｔを扉体３の存在予定側に向けて起立させることになる。
【０１４２】
〔第３実施形態〕
次に、第３実施形態について説明する。
この第３実施形態は、第２実施形態と同様に、係合体取付冶具Ｑが、上下位置規制用当て付け部４１Ｂとして、位置指示部Ｈの扉体３に対する位置を上下方向で異なる方向に変更する複数の上下位置規制用当て付け部４１Ｂを装備する場合についての別形態を示すものである。
【０１４３】
すなわち、図２９及び図３０に示すように、この第３実施形態においては、複数の上下位置規制用当て付け部４１Ｂが、第１実施形態と同様に、扉体３の上方の辺に対応する側端面に接当するものであり、そして、扉体３の上下幅方向に並ぶ状態に形成されている。
【０１４４】
説明を加えると、冶具本体４０が、最も大きな扉体３の上下幅よりも大きな上下幅を有する状態に形成されている。
そして、冶具本体４０に、複数の上下位置規制用当て付け部４１Ｂが、扉体３の上下幅方向に相当する方向（冶具本体４０の上下幅方向）に沿わせて設定間隔（例えば、５ｍｍ間隔）おきに複数形成されている。
【０１４５】
つまり、上下位置規制用当て付け部４１Ｂとして、本体ケーシング１の上下幅と同じ大きさの標準的な大きさの扉体３に対する標準用当て付け部４１ｈに加えて、本体ケーシング１の上下幅よりも大きい大きさの扉体３に対する幅広用当て付け部４１ｗが、扉体３の上下幅方向に相当する方向（冶具本体４０の上下幅方向）に沿わせて設定間隔（例えば、５ｍｍ間隔）おきに複数形成される。
【０１４６】
具体的には、複数の上下位置規制用当て付け部４１Ｂの折曲げ予定線Ｒとして、標準用当て付け部４１ｈを形成するための標準用折曲げ予定線Ｒｈに加えて、幅広用当て付け部４１ｗを形成するための幅広用折曲げ予定線Ｒｗが、扉体３の上下幅方向に相当する方向（冶具本体４０の上下幅方向）に沿わせて設定間隔（例えば、５ｍｍ間隔）おきに複数設定されることになる。
【０１４７】
そして、標準用当て付け部４１ｈの操作片部４１ｓが、標準用折曲げ予定線Ｒｈよりも冶具本体４０の外方側に位置する部分にて形成されている。
また、複数の幅広用折曲げ予定線Ｒｗの夫々に対応して、幅広用当て付け部４１ｗの操作片部４１ｓを形成するための逆Ｕ字状の操作片形成用切断部４７が、幅広用折曲げ予定線Ｒｗよりも冶具本体４０の外方に向けて突出する状態で形成されている。
尚、幅広用当て付け部４１ｗの操作片部４１ｓの横幅は、冶具本体４０の横幅の７分の１程度の小さな幅に設定されている。
【０１４８】
さらに、複数の折曲げ予定線Ｒの夫々に対応して、扉体当て付け用舌片４１ｔを形成するためのＵ字状の舌片形成用切断部４８が、折曲げ予定線Ｒよりも冶具本体４０の内方に向けて突出する状態で形成されることにより、複数の上下位置規制用当て付け部４１Ｂの夫々について、操作片部４１ｓから冶具本体４０の内方側に向けて突出する状態で操作片部４１ｓに連なる扉体当て付け用舌片４１ｔが形成されている。
【０１４９】
したがって、この第３実施形態の係合体取付冶具Ｑは、装着する扉体３の上下幅に応じて、複数の上下位置規制用当て付け部４１Ｂのうちのいずれかを選択し、そして、選択した上下位置規制用当て付け部４１Ｂの操作片部４１ｓを扉体３の存在予定側とは反対側に向けて折り曲げて、扉体当て付け用舌片４１ｔを扉体３の存在予定側に向けて起立させることになる。
【０１５０】
〔第４実施形態〕
次に、第４実施形態について説明する。
この第４実施形態は、係合体取付冶具Ｑの改良構成を示すものであって、以下の説明では、第１実施形態の係合体取付冶具Ｑに適用した場合を例示するが、この第４実施形態の改良構成は、第２実施形態や第３実施形態の係合体取付冶具Ｑにも適用できる。
【０１５１】
すなわち、図３１及び図３２に示すように、冶具本体４０における扉体３に対向する面に、冶具本体４０を扉体３に位置決めする両面テープ５０が設けられている。
そして、冶具本体４０に、扉体３の存在予定側に突出して扉体３の後面と接当自在な複数の支持部５１が、退避状態に切換え操作自在に設けられている。
【０１５２】
支持部５１は、本実施形態においては、冶具本体４０の一部を扉体３の存在予定側に突出する姿勢に操作することによって形成されるように構成されている。
つまり、冶具本体４０における支持部５１の形成箇所に対応する部分には、支持部形成用折曲げ線Ｗが設定され、その支持部形成用折曲げ線Ｗに対応させた状態で、Ｕ字状の支持部形成用切断部５２が形成されて、支持部形成用切断部５２の内方側部分にて、支持部５１が構成されている。
【０１５３】
したがって、本実施形態においては、支持部形成用切断部５２の内方側部を、支持部形成用折曲げ線Ｗに沿って扉体３の存在側に向けて折曲げ、かつ、その中間部分にてくの字状に折り曲げることによって、支持部５１が形成されることになる。
そして、この支持部５１は、支持部形成用折曲げ線Ｗに沿って扉体３から離れる側に折り曲げることにより、退避状態に切換え操作できるように構成されている。
【０１５４】
本実施形態の係合体取付冶具Ｑは、冶具本体４０を扉体３に重ね合わせた状態に装着する際に、予め、複数の支持部５１を扉体３の存在予定側に突出する状態に折り曲げ、且つ、両面テープ５０の表面に存在する剥離紙を剥がしておき、この状態で、冶具本体４０を扉体３に重ね合わせるようにすることになる。
【０１５５】
冶具本体４０は、両面テープ５０が扉体３の後面に接着されることが抑制されるように、支持部５１によって、扉体３から浮上した状態に支持されるものとなるから、扉体３から浮上させ状態で、扉体３に対して位置合わせを行うことになる。
つまり、左右位置規制用当て付け部４１Ａや上下位置規制用当て付け部４１Ｂが、扉体３の側端面に適正通り当て付けられる状態となるように、扉体３に対する冶具本体４０の位置合わせを行う。
【０１５６】
そして、扉体３に対する冶具本体４０の位置合わせが終了した時点で、支持部５１を退避状態に操作することにより、両面テープ５０が扉体３の後面に接着して、冶具本体４０の扉体３に対する位置が両面テープ５０にて維持されることになるから、支持金具１１をビス１１ｄにて扉体３に固定する作業を、冶具本体４０を作業者が保持する手間なく、良好に行えるものとなる。
【０１５７】
ちなみに、支持部５１を退避状態にする操作としては、冶具本体４０を扉体３の後面側に押圧することにより、扉体３との接当により、支持部５１を退避状態にすること、及び、支持部５１の端部を把持して、支持部５１を扉体３の後面から離れる方向に移動させるより、支持部５１を退避状態にすることのいずれを行ってもよい。
尚、支持金具１１をビス１１ｄにて扉体３に固定する作業が終了した段階において、冶具本体４０を扉体３から外す際には、両面テープ５０を扉体３から剥がすようにする。
【０１５８】
〔別実施形態〕
次に、別実施形態を列記する。
（１）上記第１~第４実施形態においては、扉体３が洗浄槽２の前部の上下幅方向や横幅方向の全体を覆う場合を例示したが、例えば、洗浄槽２の前部の上方部分に操作パネル部が装備されて、扉体３が操作パネル部の下方側部分を覆うように装着される場合等、扉体３の洗浄槽２の前部の一部を覆うように装着される形態の食器洗浄機についても、本発明は適用できるものである。
【０１５９】
（２）上記第１~第４実施形態においては、位置決め接当部Ｇが、扉体３の４つの辺の夫々に対応する４つの側端面のうちの、３の側端面に接当する場合を例示したが、４つの側端面のうちの、隣接する２つの側端面に接当させる形態や、４つの側端面の全てに接当させる形態で実施してもよい。
【０１６０】
（３）上記第１~第４実施形態においては、位置決め接当部Ｇが備える複数の当て付け部４１が、折曲げ予定線Ｒに沿って折り曲げられる操作片部４１ｓと、操作片部４１ｓに連なる扉体当て付け用舌片４１ｔとを備える形態に構成される場合を例示したが、例えば、位置決め接当部Ｇが備える複数の当て付け部４１として、冶具本体４０から扉体存在予定側に向けて突出する当て付け用板状部を、冶具本体４０に対して固定する状態で設けるようにする等、複数の当て付け部４１の具体構成は種々変更できる。
【０１６１】
（４）上記第１~第４実施形態においては、位置決め接当部Ｇの当て付け部４１を構成する操作片部４１ｓ及び扉体当て付け用舌片４１ｔが、折曲げ可能な材料にて構成された冶具本体４０の一部を起立させる形態で構成される場合を例示したが、例えば、当て付け部４１を構成する操作片部４１ｓ及び扉体当て付け用舌片４１ｔを備えた別部材を、冶具本体４０に取付ける形態で実施してもよい。
【０１６２】
（５）上記第１~第４実施形態においては、位置指示部Ｈが、冶具本体４０に形成された切欠部４３として構成される場合を例示したが、例えば、係合体存在箇所を示す線を、冶具本体４０の表面に描く形態で実施してもよい。
尚、この場合には、係合体Ｅをビス等にて扉体３に取付ける際に、ビスの締め付けを完了する前に、冶具本体４０を破断しながら、係合体Ｅと扉体３との間から除去することになる。
【０１６３】
（６）上記第１~第４実施形態においては、係合体Ｅが、左方側係合体形成金具１０Ｌ、右方側係合体形成金具１０Ｒ、並びに、それらを扉体３に取付けるための支持金具１１及び接続体１２から構成される場合を例示したが、係合体Ｅの具体構成は、各種変更できるものである。
【符号の説明】
【０１６４】
１      本体ケーシング
２      洗浄槽
３      扉体
４０    冶具本体
４１    当て付け部
４１Ａ  左右位置規制用当て付け部
４１Ｂ  上下位置規制用当て付け部
４１ｓ  操作片部
４１ｔ  扉体当て付け用舌片
４３    切欠部
５０    両面テープ
５１    支持部
Ａ      洗浄槽挿脱用開口
Ｅ      係合体
Ｆ      係合部
Ｇ      位置決め接当部
Ｈ      位置指示部
Ｑ      係合体用取付冶具
Ｒ      折曲げ予定線
【図１】
2014004241.tif 000003
【図２】
2014004241.tif 000004
【図３】
2014004241.tif 000005
【図４】
2014004241.tif 000006
【図５】
2014004241.tif 000007
【図６】
2014004241.tif 000008
【図７】
2014004241.tif 000009
【図８】
2014004241.tif 000010
【図９】
2014004241.tif 000011
【図１０】
2014004241.tif 000012
【図１１】
2014004241.tif 000013
【図１２】
2014004241.tif 000014
【図１３】
2014004241.tif 000015
【図１４】
2014004241.tif 000016
【図１５】
2014004241.tif 000017
【図１６】
2014004241.tif 000018
【図１７】
2014004241.tif 000019
【図１８】
2014004241.tif 000020
【図１９】
2014004241.tif 000021
【図２０】
2014004241.tif 000022
【図２１】
2014004241.tif 000023
【図２２】
2014004241.tif 000024
【図２３】
2014004241.tif 000025
【図２４】
2014004241.tif 000026
【図２５】
2014004241.tif 000027
【図２６】
2014004241.tif 000028
【図２７】
2014004241.tif 000029
【図２８】
2014004241.tif 000030
【図２９】
2014004241.tif 000031
【図３０】
2014004241.tif 000032
【図３１】
2014004241.tif 000033
【図３２】
2014004241.tif 000034